(57)【特許請求の範囲】
【請求項１】
主電源（１１）と待機電源（１２）を生成して，コンピュータ本体に含まれたそれぞれの部品に電源を提供する電源部（１３），及び前記電源部（１３）の待機電源部（１２）に接続され，前記コンピュータ本体に含まれる部品であって，前記主電源（１１）又はこれによって作動する一つ以上の部品，及び前記待機電源（１２）又はこれによって作動する一つ以上の部品のそれぞれの温度又は電流を測定し，使用者が設定した数値と比較分析し，使用者が設定した数値以上の場合にのみ電源部（１３）の待機電源部（１２）によりファンを駆動させて，コンピュータ本体に含まれた部品の温度又は電流の数値を低下するように作動する冷却制御回路（１４）を含んでなり，前記電源部（１３）に接続される冷却制御回路（１４）には，電源部（１３）の主電源部（１１）が遮断されてコンピュータの電源が切れた状態でも持続的に前記コンピュータ本体に含まれる前記部品の温度及び電流値を感知する感知センサー（１５）が接続されていることを特徴とするコンピュータの電源が切れた状態で待機電源部を冷却するファン制御回路を備えたコンピュータ用電源供給装置。
【請求項２】
コンピュータ本体に取り付けられ，主電源及び待機電源からなる電源部と，前記電源部に接続され，前記コンピュータ本体に含まれる部品であって，前記主電源（１１）又はこれによって作動する一つ以上の部品，及び前記待機電源（１２）又はこれによって作動する一つ以上の部品のそれぞれの部品の温度又は電流を測定して一定の数値以下に下降させ，温度又は電流を測定する感知センサーが接続されている冷却制御回路とを含む，コンピュータの電源が切れた状態で待機電源部を冷却するファン制御回路を備えたコンピュータ用電源供給装置の制御方法であって，
前記冷却制御回路に接続された感知センサーが電源部の主電源が遮断されてコンピュータの電源が切れた状態でも持続的に前記コンピュータ本体に含まれる前記部品の温度及び電流値を感知する感知段階（Ｓ１０）；
前記感知段階（Ｓ１０）で感知された前記コンピュータ本体に含まれる前記部品の温度又は電流値と使用者が設定した設定値を比較し，感知センサーによって測定された値が設定値より低い場合，持続的に前記コンピュータ本体に含まれる前記部品の温度又は電流を感知する比較段階（Ｓ２０）；
前記比較段階（Ｓ２０）で感知センサーによって測定された値が設定値より高い場合，電源部の待機電源でファンを駆動させ，ファンによって前記コンピュータ本体に含まれる前記部品の温度又は電流を低下する駆動段階（Ｓ３０）；
前記駆動段階（Ｓ３０）で待機電源によってファンが駆動されれば，前記コンピュータ本体に含まれる前記部品の現在の温度又は電流値を前記冷却制御回路に接続された感知センサーが再び測定する再感知段階（Ｓ４０）；及び
前記再感知段階（Ｓ４０）で測定された値が設定値より低い場合，待機電源を遮断してファンの駆動を停止させ，前記感知センサーが持続的に前記コンピュータ本体に含まれる前記部品の温度又は電流を感知し，感知センサーによって測定された値が設定値より高い場合，待機電源がファンに電源を持続的に供給してファンを駆動させて前記コンピュータ本体に含まれる前記部品の温度又は電流を低下する連続感知段階（Ｓ５０）；を含んでなることを特徴とする，コンピュータの電源が切れた状態で待機電源部を冷却するファン制御回路を備えたコンピュータ用電源供給装置の制御方法。
【発明の詳細な説明】
【技術分野】
【０００１】
本発明は，コンピュータの電源が切れた状態で待機電源部を冷却するファン制御回路を備えたコンピュータ用電源供給装置及びその制御方法に関するもので，より詳しくはコンピュータの電源が切れた状態である待機状態又は，作動が止まった直後の状態でコンピュータの部品の温度及び電流などを感知し，コンピュータの電源が切れた直後又は，コンピュータの電源が切れた状態でコンピュータに接続された携帯電話の充電又は，待機電源の維持などによって待機電源が使われることによってコンピュータの部品の温度又は，電流が使用者が設定した一定の数値以上の場合，電源部に流れる待機電源によってファンを作動させて，コンピュータで発生する熱を円滑に外部へ発散させることによってコンピュータの耐久寿命を延ばすことができる，コンピュータの電源が切れた状態で待機電源部を冷却するファン制御回路を備えたコンピュータ用電源供給装置及びその制御方法に関するものである。
【背景技術】
【０００２】
一般に，コンピュータなどの装置が作動することによって発生する熱によって部品の寿命が短縮することを防止するために，大韓民国実用新案登録第２０−０３０４１９２号のように，装置の内部にファンなどを取り付け，装置の作動によって熱が発生すれば，装置の内部で発生する熱の温度によってファンが作動することにより，装置で発生する熱を早く発散させることになる。
【発明の概要】
【発明が解決しようとする課題】
【０００３】
しかし，前記のように使用者が設定した温度によってファンが作動すると言っても，これはコンピュータのような装置に電源が供給されてコンピュータが作動する状態においてのみファンが回転して熱を発散させるだけであり，コンピュータの作動が止まるとコンピュータに取り付けられたファンが作動しなくなるため，コンピュータの電源を切った状態では熱を正常に発散させることができなくなり，熱によって部品の耐久性が落ちるとともに部品の寿命が短縮する問題点があった。
【課題を解決するための手段】
【０００４】
本発明のコンピュータの電源が切れた状態で待機電源部を冷却するファン制御回路を備えたコンピュータ用電源供給装置は，主電源と待機電源を生成してコンピュータ本体に含まれたそれぞれの部品に電源を提供する電源部，及び前記電源部の待機電源部に接続され，コンピュータ本体に含まれたそれぞれの部品の温度又は，電流を測定して使用者が設定した数値と比較分析し，使用者が設定した数値以上の場合にのみ待機電源部の待機電源でファンを駆動させて，コンピュータ本体に含まれた部品の温度又は，電流の数値を低下するように作動する冷却制御回路を含んでなり，コンピュータ作動中止の際，コンピュータ本体に含まれた部品の温度又は電流が一定の数値以上に上昇すれば，電源部の待機電源でファンを駆動させて，コンピュータ本体に含まれた部品の温度又は，電流を一定の数値以下に低下することにより，部品の発熱による部品の耐久性低下を減らし，部品の耐久寿命の短縮を防止することにその目的がある。
【０００５】
そして，コンピュータの作動中止時にも待機電源を用いて，コンピュータ本体に携帯電話のような携帯端末機を接続して簡易に充電することができるようにし，待機電源の使用によって温度及び電流が上昇しても待機電源でファンを駆動させてコンピュータ本体の温度及び電流を好適に低下することができるようにすることにその目的がある。
【発明の効果】
【０００６】
本発明は，コンピュータの作動中止の際，コンピュータ本体に含まれた部品の温度又は電流が一定の数値以上に上昇すれば，電源部の待機電源によってファンを駆動させて，コンピュータ本体に含まれた部品の温度又は電流を一定の数値以下に低下することにより，部品の発熱による部品の耐久性の低下を減少して，部品の耐久寿命が低下することを防止することができる利点がある。
【０００７】
そして，コンピュータの作動中止時にも，待機電源を用いて，コンピュータ本体に携帯電話のような携帯端末機を接続して簡易に充電することができるようにし，相対的に電圧の低い待機電源でもファンを駆動させることができるので，電力消費を節約して電力費用を減少することができる利点がある。
【図面の簡単な説明】
【０００８】
【図１】本発明の実施例を示すブロック図である。
【図２】本発明の制御方法を示すフローチャートである。
【発明を実施するための形態】
【０００９】
前記目的を達成するための本発明の構成を説明すると次のようである。
【００１０】
以下，添付図面に基づいて本発明の構成を詳細に説明する。
【００１１】
本発明のコンピュータの電源が切れた状態で待機電源部を冷却するファン制御回路を備えたコンピュータ用電源供給装置１０は，図１に示すように，コンピュータ本体の内部に取り付けられ，外部から伝達される電気によってコンピュータを作動させる主電源１１及び待機電源１２を生成し，コンピュータ本体の内部に含まれたそれぞれの部品に電源を提供する電源部１３を含んでなる。
【００１２】
ここで，前記主電源１１は，コンピュータ（図示せず）を作動させるために使われる一般的な電源であり，待機電源１２は，コンピュータの電源を入れなくてもコンピュータ本体の内部に流れる電気を供給するもので，現在一般的な電気製品に活用されているものなので，その詳細な説明は省略する。
【００１３】
これに加え，待機電源１２は，主電源１１に比べて相対的に低い電圧を使うように構成されている。
【００１４】
そして，前記電源部１３は，コンピュータ本体の内部に設けられることは自明な事項であるので，その詳細な説明は省略する。
【００１５】
また，前記コンピュータ本体には，コンピュータを作動させるために現在一般的にコンピュータに設けられているメモリ（図示せず），メインボード（図示せず），中央処理装置（図示せず），ファン（図示せず），インターフェース（図示せず）などが設けられているというのは自明な事項であるので，その詳細な説明は省略する。
【００１６】
これに加え，使用者がコンピュータ部品の温度及び電流の値を設定することができるボタン（図示せず）や液晶ディスプレー（図示せず）などが設けられることは自明な事項であるので，その詳細な説明は省略する。
【００１７】
そして，前記電源部１３の待機電源１２に接続され，コンピュータ本体に含まれたそれぞれの部品の温度又は電流を測定し，使用者が設定した数値と比較分析し，使用者が設定した数値以上の場合にだけ電源部１３の待機電源１２でファンを駆動させて，コンピュータ本体に含まれた部品の温度又は電流の数値を低下するように作動する冷却制御回路１４を含んでなる。
【００１８】
ここで，前記冷却制御回路１４には，電源部１３の待機電源１２に接続された冷却制御回路１４に流入する電流の量又は温度を感知する感知センサー１５をさらに接続して構成することもできる。
【００１９】
前記感知センサー１５は，使用者の目的によって，温度センサー，電流センサー，抵抗センサーなど，現在一般的に使われているどのセンサーでも選択して使うことができるというのは自明な事項であるので，その詳細な説明は省略する。
【００２０】
また，本発明では，前記電源部１３，冷却制御回路１４及び感知センサー１５を，コンピュータ部品に属するものと看做して説明する。
【００２１】
前記のような構成を有する本発明の好適な実施例による制御方法を説明すると次のようである。
【００２２】
まず，図２に示すように，前記冷却制御回路１４に接続された感知センサー１５によってコンピュータ本体の部品や冷却制御回路１４の温度，又は電流量を持続的に感知することになる。
【００２３】
ここで，前記冷却制御回路１４に接続された感知センサー１５は，電源部１３の主電源１１が遮断されて，コンピュータの電源は切れたままで維持されると共に，待機電源１２は流れている状態で，冷却制御回路１４を含めたコンピュータ部品を感知するものを言う。
【００２４】
また，コンピュータ主電源１１によって作動した後，使用者の目的に応じて主電源１１の遮断によってコンピュータの電源が切れた直後の状態でも，上述したように感知センサー１５が持続的に感知作動を行う。
【００２５】
ここで，使用者が最初にコンピュータ本体に設けられたボタンなどで，使用者が設定しようとする温度又は電流値を設定することは自明な事項であるので，その詳細な説明は省略する。（Ｓ１０）
【００２６】
その後，前記感知センサー１５が，冷却制御回路１４などのコンピュータ部品の温度又は電流値を感知し，使用者が最初に設定した温度及び電流値と比較した後，前記感知センサー１５で測定した測定値が使用者の設定値より低い場合，待機電源１２がファンに電源を印加せず，現在状態を維持しながら前記感知センサー１５が持続的にコンピュータ部品の温度及又は電流を感知することになる。（Ｓ２０）
【００２７】
これとは異なり，前記感知センサー１５で測定した測定値が使用者の設定値より高い場合，前記冷却制御回路１４が電源部１３の待機電源１２を作動させ，前記待機電源１２をファンに印加して前記ファンを駆動させるようにする。
【００２８】
すると，ファンの駆動によってコンピュータ本体に含まれた部品の温度が低下するかあるいは電流の数値が使用者の設定数値以下に減少する。（Ｓ３０）
【００２９】
このように，待機電源１２によってファンが駆動されることによって，コンピュータ部品の温度又は電流値が変わると，感知センサー１５がコンピュータ部品の温度又は電流値を再測定するようになる。（Ｓ４０）
【００３０】
その後，前記感知センサー１５によって再測定された温度又は電流値が設定値より低い場合，待機電源１２の作動を中止するとともに待機電源１２によって作動するファンの駆動を停止させ，前記感知センサー１５がコンピュータ部品の温度及び電流を持続的に感知するようになる。
【００３１】
これとは反対に，前記感知センサー１５によって再測定された温度又は電流値が設定値より高い場合，現在作動中の待機電源１２を維持しながらファンを持続的に駆動させることで，感知センサー１５が測定した値が使用者が設定した設定値より低く維持されるようにする。
【００３２】
このように，感知センサー１５が持続的にコンピュータ部品の温度又は電流を測定するとともに前記冷却制御回路１３が待機電源１２によってファンの駆動を制御することによってコンピュータ部品を管理するようになるものである。
【００３３】
また，上述したような作用を冷却制御回路１４及び感知センサー１５が持続的に行うようになる。（Ｓ５０）
【００３４】
上述したように，前記冷却制御回路１４に接続された感知センサー１５が温度及び電流量を持続的に感知し，待機電源１２でファンを駆動させることで，部品で発生する熱を外部へ発散させることにより，部品の耐久性が落ちることを最小化するように作動するようになるものである。
【００３５】
これは，コンピュータが作動してからオフになった直後にも部品の温度又は電流を測定し，発生する熱を感知センサー１５が感知して，熱による耐久性低下を防止するためのもので，主電源１１を使わなくても待機電源１２のみでファンを駆動させて熱による耐久性の低下を防止し，電力費用などを節減することができるようになるものである。
【００３６】
その上，コンピュータの電源が切れた状態で使用者が持っている携帯電話のような端末機などをＵＳＢケーブル（Universal Serial Bus）を介してコンピュータに接続して充電を行う場合にも，待機電源１２の使用によってコンピュータ部品が作動して，温度又は電流が上昇することがある。この時にも前記感知センサー１５が，持続的に冷却制御回路１４又は部品などの温度及び電流の数値を感知し，使用者が設定した数値以上に温度又は電流が上昇する時，上述したように作動して温度又は電流の上昇を防止するようになるものである。
【００３７】
前記のように，相対的に主電源１１に比べて電圧が低い待機電源１２のみでもファンを駆動させることができるので，電圧の使用による電気使用量を減らして電力費用を節減することができるようになる。
【００３８】
また，コンピュータが作動している途中主電源１１の遮断によって停止されても，相対的に電圧が低い待機電源１２でもファンを駆動させることができるので，電力消費を節約して電力費用を節減することができるようになる。
【００３９】
上述した実施例は本発明の好適な例について説明したものであるが，前記実施例にだけ限定されるものではなく，本発明の技術的思想を逸脱しない範疇内で多様な変形が可能であるというのは本発明が属する技術分野で通常の知識を有する者に明白なものである。
【符号の説明】
【００４０】
１１    主電源（部）
１２    待機電源（部）
１３    電源部
１４    冷却制御回路
１５    感知センサー
１０    コンピュータの電源が切れた状態で待機電源部を冷却するファン制御回路を備えたコンピュータ用電源供給装置
【図１】
0006460499.tif 000002
【図２】
0006460499.tif 000003